(57)【要約】【課題】画面に関する説明をより分かり易く表示する装置、その制御方法及びプログラムを提供する。【解決手段】携帯端末は、出力部１８と、入力部１７と、操作検出部５２と、表示制御部５１と、を備える。操作検出部５２は、入力部１７への入力操作を検出する。また、操作検出部５２は、出力部１８に表示され、操作検出部５２による入力部１７への機能の設定状態を示す第１のアイコンであるステータスアイコンに対応した当該第１のアイコンであるステータスアイコンの機能説明を表示させるための入力操作を操作検出部５２によって検出したか否かを判定する。表示制御部５１は、操作検出部５２によって検出したと判定された場合に、第１のアイコンであるステータスアイコンに対応する機能説明を、当該第１のアイコンであるステータスアイコンに対応付けた表示態様で表示させるように出力部１８を制御する。【選択図】図５
2019061720.tif 000002
【特許請求の範囲】
【請求項１】
表示手段と、
入力手段と、
前記入力手段への入力操作を検出する操作検出手段と、
機能の設定状態を示す第１のアイコンが前記表示手段に表示された状態で、当該第１のアイコンに対応する機能説明を表示させるための入力操作を前記操作検出手段によって検出したか否かを判定する判定手段と、
前記判定手段によって検出したと判定された場合に、前記第１のアイコンに対応する機能説明を、当該第１のアイコンに対応付けた表示態様で表示させるように前記表示手段を制御する表示制御手段と、
を備え、
前記表示制御手段は、前記機能説明を表示する際に、前記第１のアイコンから当該機能説明を拡大移動させて表示させるように前記表示手段を制御する、
ことを特徴とする表示装置。
【請求項２】
前記表示制御手段は、前記第１のアイコン及び前記機能説明の表示状態において、前記第１のアイコンと前記機能説明とを対応付けて表示させるように前記表示手段を制御する、
ことを特徴とする請求項１に記載の表示装置。
【請求項３】
前記表示制御手段は、前記第１のアイコンと前記第１のアイコンに対応する前記機能説明とをそれぞれ線で結んで表示させることを特徴とする請求項２に記載の表示装置。
【請求項４】
前記表示制御手段は、前記第１のアイコンと前記第１のアイコンに対応する前記機能説明とをそれぞれ同じ色で表示させることを特徴とする請求項２に記載の表示装置。
【請求項５】
前記表示制御手段は、複数の機能のそれぞれに対応した前記第１のアイコンを所定位置に配置して表示させた場合において、当該第１のアイコンと、各々対応する前記機能説明とを対応付けて表示させるように前記表示手段を制御する、
ことを特徴とする請求項１乃至４の何れか１項に記載の表示装置。
【請求項６】
前記表示制御手段は、複数の機能のそれぞれに対応した前記第１のアイコンを所定位置に配置して表示させた場合において、各々対応する第１のアイコンの位置に近い位置に前記機能説明を、整列させて表示させるように前記表示手段を制御する、
ことを特徴とする請求項１乃至５の何れか１項に記載の表示装置。
【請求項７】
前記表示制御手段は、前記操作検出手段によって前記入力手段に対して、前記機能説明への入力操作が検出された状態で、前記機能説明への入力操作を解除した場合には、前記入力操作された機能説明に対応する機能の設定を変更する画面を表示させるように前記表示手段を制御する、
ことを特徴とする請求項１乃至６の何れか１項に記載の表示装置。
【請求項８】
前記判定手段は、前記第１のアイコンが前記表示手段に表示された状態で、当該第１のアイコンに対応する機能説明を表示させるためであって、当該第１のアイコンへの入力操作とは異なる入力操作を前記操作検出手段によって検出したか否かを判定する、
ことを特徴とする請求項１乃至７の何れか１項に記載の表示装置。
【請求項９】
前記第１のアイコンへの入力操作とは異なる入力操作は、前記第１のアイコンへのタッチ操作又はキー操作とは異なる入力操作であることを特徴とする請求項８に記載の表示装置。
【請求項１０】
前記判定手段は、前記第１のアイコンの機能説明を表示させるための入力操作として、第２のアイコンへの入力操作を前記操作検出手段によって検出したか否かを判定し、
前記表示制御手段は、前記操作検出手段によって前記入力手段に対して、前記第２のアイコンへの入力操作が検出された状態で、前記第２のアイコンへの入力操作を解除した場合には、前記第１のアイコンに対応する機能説明を、当該第１のアイコンに対応付けた表示態様で表示させるように前記表示手段を制御する、
ことを特徴とする請求項１乃至９の何れか１項に記載の表示装置。
【請求項１１】
前記入力手段としてタッチパネルを備えたことを特徴とする請求項１乃至１０の何れか１項に記載の表示装置。
【請求項１２】
表示手段と、入力手段とを備える表示装置で実行される表示制御方法であって、
前記入力手段への入力操作を検出する操作検出ステップと、
機能の設定状態を示す第１のアイコンが前記表示手段に表示された状態で、当該第１のアイコンに対応する機能説明を表示させるための入力操作を前記操作検出ステップによって検出したか否かを判定する判定ステップと、
前記判定ステップによって検出したと判定された場合に、前記第１のアイコンに対応する機能説明を、当該第１のアイコンに対応付けた表示態様で表示させるように前記表示手段を制御する表示制御ステップと、
を含み、
前記表示制御ステップは、前記機能説明を表示する際に、前記第１のアイコンから当該機能説明を拡大移動させて表示させるように前記表示手段を制御する、
ことを特徴とする表示制御方法。
【請求項１３】
表示手段と、入力手段とを備える表示装置を制御するコンピュータを、
前記入力手段への入力操作を検出する操作検出手段、
機能の設定状態を示す第１のアイコンが前記表示手段に表示された状態で、当該第１のアイコンに対応する機能説明を表示させるための入力操作を前記操作検出手段によって検出したか否かを判定する判定手段、
前記判定手段によって検出したと判定された場合に、前記第１のアイコンに対応する機能説明を、当該第１のアイコンに対応付けた表示態様で表示させるように前記表示手段を制御する表示制御手段、
として機能させ、
前記表示制御手段は、前記機能説明を表示する際に、前記第１のアイコンから当該機能説明を拡大移動させて表示させるように前記表示手段を制御する、
ことを特徴とするプログラム。
【発明の詳細な説明】
【技術分野】
【０００１】
本発明は、情報を表示する表示装置、表示制御方法及びプログラムに関する。
【背景技術】
【０００２】
従来、ヘルプキーの操作等に応じて、画面におけるアイコンの説明を表示する端末装置が知られている。
例えば、特許文献１には、ヘルプの閲覧履歴に基づいてユーザの操作をアシストするようにＧＵＩ（Ｇｒａｐｈｉｃａｌ  Ｕｓｅｒ  Ｉｎｔｅｒｆａｃｅ）を生成するユーザインターフェース装置が記載されている。
【先行技術文献】
【特許文献】
【０００３】
【特許文献１】特開２００６−１２７３７２号公報
【発明の概要】
【発明が解決しようとする課題】
【０００４】
しかしながら、リスト型の端末装置等、表示画面が小さい端末装置においては、ヘルプキー等の操作に対して、単に説明が表示されるのみでは、各アイコンがどのような機能を有するかをユーザが分かり難いという課題があった。
【０００５】
本発明は、このような状況に鑑みてなされたものであり、画面に関する説明をより分かり易く表示することを目的とする。
【課題を解決するための手段】
【０００６】
上記目的を達成するため、本発明の一態様の表示装置は、
表示手段と、
入力手段と、
前記入力手段への入力操作を検出する操作検出手段と、
機能の設定状態を示す第１のアイコンが前記表示手段に表示された状態で、当該第１のアイコンに対応する機能説明を表示させるための入力操作を前記操作検出手段によって検出したか否かを判定する判定手段と、
前記判定手段によって検出したと判定された場合に、前記第１のアイコンに対応する機能説明を、当該第１のアイコンに対応付けた表示態様で表示させるように前記表示手段を制御する表示制御手段と、
を備え、
前記表示制御手段は、前記機能説明を表示する際に、前記第１のアイコンから当該機能説明を拡大移動させて表示させるように前記表示手段を制御する、
ことを特徴とする。
【発明の効果】
【０００７】
本発明によれば、画面に関する説明をより分かり易く表示することができる。
【図面の簡単な説明】
【０００８】
【図１】本発明の一実施形態に係る携帯端末のハードウェアの構成を示すブロック図である。
【図２】通常表示／ポップアップ表示の表示画面を示す模式図である。
【図３】ヘルプ選択／ヘルプ内容説明の表示画面を示す模式図である。
【図４】バックライト常時ＯＮの機能設定の表示画面を示す模式図である。
【図５】図１の携帯端末の機能的構成のうち、ヘルプ画面表示処理を実行するための機能的構成を示す機能ブロック図である。
【図６】図５の機能的構成を有する図１の携帯端末が実行するヘルプ画面表示処理の流れを説明するフローチャートである。
【図７】図５の機能的構成を有する図１の携帯端末が実行するヘルプ画面表示処理の流れを説明するフローチャートである。
【図８】図５の機能的構成を有する図１の携帯端末が実行するヘルプ画面表示処理の流れを説明するフローチャートである。
【図９】図５の機能的構成を有する図１の携帯端末が実行するヘルプ画面表示処理の流れを説明するフローチャートである。
【発明を実施するための形態】
【０００９】
以下、本発明の実施形態について、図面を用いて説明する。
【００１０】
図１は、本発明の一実施形態に係る携帯端末のハードウェアの構成を示すブロック図である。
携帯端末１は、例えばスマートウォッチ等のリスト端末として構成される。
【００１１】
携帯端末１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、入力部１６と、出力部１７と、記憶部１８と、通信部１９と、ドライブ２０と、を備えている。
【００１２】
ＣＰＵ１１は、ＲＯＭ１２に記録されているプログラム、又は、記憶部１８からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、出力部１７、記憶部１８、通信部１９及びドライブ２０が接続されている。
【００１５】
入力部１６は、各種ボタン等で構成され、ユーザの指示操作に応じて各種情報を入力する。本実施形態においては、入力部１６と出力部１７とで、タッチパネルを構成する。タッチパネルを構成する入力部１６は、例えば出力部１７の表示画面に積層される静電容量式又は抵抗膜式の位置入力センサにより構成され、タッチ操作がなされた位置の座標を検出する。ここで、タッチ入力とは、タッチパネルを構成する入力部１６に対する物体（ユーザの指等）の接触又は近接の操作をいう。また、タッチ入力では、単なる接触・非接触の操作だけではなく、接触時間の長さ、接触距離の長さ、接触した強さ等の操作も検出する。また、タッチ入力解除とは、タッチ入力を止めて、接触又は近接状態を解除する操作をいう。
【００１６】
出力部１７は、ディスプレイやスピーカ等で構成され、画像や音声を出力する。また、本実施形態では、入力部１６とディスプレイとして構成される出力部１７とにより、タッチパネル画面が構成されている。
【００１７】
記憶部１８は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００１８】
通信部１９は、インターネットを含むネットワークを介して他の装置（図示せず）との間で行う通信を制御する。
【００１９】
ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部１８に記憶されている画像のデータ等の各種データも、記憶部１８と同様に記憶することができる。
【００２０】
図２は、通常表示／ポップアップ表示の表示画面を示す模式図である。
タッチ入力の操作待ち状態である通常表示の画面では、図２（ａ）に示すように、ステータスアイコンＩ１と、［Ｈｅｌｐ］アイコンＩ２と、時計が表示される。
【００２１】
ステータスアイコンＩ１は、各種のステータスを表すアイコンであり、機能設定の有無を表示するためのアイコンである。ステータスアイコンＩ１は、機能が設定される状態であるアクティブ状態と、機能が設定されていない状態である非アクティブ状態では、例えば、非アクティブ状態では、色をグレーに表示する等の色彩の別で状態を表示する。
【００２２】
また、ステータスアイコンＩ１は、本実施形態においては、バックライト常時点灯する設定である「バックライト常時ＯＮ」、高温時に通知を行う設定である「高熱」、各種お知らせを行う設定である「お知らせ」、アラームの設定である「アラーム設定」、バイブの有無の設定である「バイブ設定」、無音の設定である「ＭＵＴＥ設定」、機内モードの設定である「機内モード」、Ｂｌｕｅｔｏｏｔｈ（登録商標）の機能の設定である「Ｂｌｕｅｔｏｏｔｈ設定」の機能に対応して設けられる。
【００２３】
［Ｈｅｌｐ］アイコンＩ２は、ステータスアイコンＩ１に割り当てられた機能を説明するヘルプ画面を表示させるためのアイコンである。
【００２４】
［Ｈｅｌｐ］アイコンＩ２へのタッチ入力の操作で、図２（ｂ）に示すようにポップアップアイコンＩ３が表示（ポップアップ表示）される。ポップアップアイコンＩ３には、ステータスアイコンＩ１に対応した名称が付されており、タッチ入力の操作で、対応する機能のヘルプ画面や機能設定画面へ移行させるアイコンである。ポップアップアイコンＩ３は、画面を分割して、整列配置される。
【００２５】
また、図２（ｃ）に示すように、ポップアップアイコンＩ３と、ステータスアイコンＩ１とは、対応関係を示すための線Ｌ１で結ばれている。
また、ポップアップアイコンＩ３は、ステータスアイコンＩ１との対応関係でも示されるように、ステータスアイコンＩ１との距離が近い順に整列配置される。
【００２６】
［Ｈｅｌｐ］アイコンＩ２へのタッチ入力の操作で、ポップアップアイコンＩ３が表示されるときには、図２（ｄ）に示すように、対応するステータスアイコンＩ１からポップアップアイコンＩ３が飛び出すような効果を付加してポップアップアイコンＩ３を拡大移動させて整列配置させる。また、ポップアップアイコンＩ３が収納される場合には、表示のときと逆の動きをさせる。即ち、ポップアップアイコンＩ３が対応するステータスアイコンＩ１に吸い込まれるような効果を付加してポップアップアイコンＩ３を縮小移動させて収納する。
【００２７】
図３は、ヘルプ選択／ヘルプ内容説明の表示画面を示す模式図である。
ヘルプ選択画面は、各機能のヘルプを選択するＨｅｌｐリスト表示の画面であり、ポップアップ表示画面において、［Ｈｅｌｐ］アイコンへのタッチ入力を解除した操作をすることで、表示される。
【００２８】
ヘルプ選択画面では、図３（ａ）に示すように、列記される機能名称に対してタッチ入力の操作をすることで、図３（ｂ）に示すようなヘルプ内容説明画面へ移行する。また、［×］アイコンＩ４にタッチ入力の操作をすることで、ヘルプ選択画面を終了する。
【００２９】
また、ヘルプ内容説明画面は、ヘルプの内容の説明が記載されている画面であり、ヘルプ選択画面において、列記される機能名称に対してタッチ入力の操作をしたり、ポップアップ表示画面において、［Ｈｅｌｐ］アイコン及び［バックライト常時ＯＮ］のポップアップアイコンにタッチ入力をした状態から［バックライト常時ＯＮ］のポップアップアイコンのタッチ入力を解除した操作をしたりすることで、表示される。
【００３０】
ヘルプ内容説明画面では、図３（ｂ）に示すように、［バックライト常時ＯＮ］の機能の内容説明であるヘルプが表示される。また、［×］アイコンＩ５にタッチ入力の操作をすることで、ヘルプ選択画面を終了する。
【００３１】
図４は、バックライト常時ＯＮの機能設定の表示画面を示す模式図である。ここでは、各種ステータスの設定の例として、バックライト常時ＯＮの機能の設定画面について説明する。
【００３２】
設定画面では、ポップアップ表示画面において、［Ｈｅｌｐ］アイコン及び［バックライト常時ＯＮ］のポップアップアイコンにタッチ入力をした状態から［Ｈｅｌｐ］アイコンのタッチ入力を解除した操作をすることで、表示される。
また、設定画面では、図４（ａ）及び（ｂ）に示すように、現在の設定の状態を示すと共に、設定の変更を行う画面である。図４（ａ）に示すようなチェックボックスにチェックが入っていない状態は、設定がなされていない状態を示しており、図３（ｂ）に示すようなチェックボックスにチェックが入っている状態は、設定されている状態を示している。
また、設定画面では、画面へのタッチ操作によって、設定を変更することができ、［ＯＫ］のアイコンＩ６のタッチ入力の操作をすることで、設定を確定する。
【００３３】
図５は、このような携帯端末１の機能的構成のうち、ヘルプ画面表示処理を実行するための機能的構成を示す機能ブロック図である。
ヘルプ画面表示処理とは、タッチ入力／解除の操作に基づいて、ヘルプ画面を表示させる一連の処理をいう。
【００３４】
ヘルプ画面表示処理を実行する場合には、図５に示すように、ＣＰＵ１１において、表示制御部５１と、操作検出部５２と、機能設定部５３と、が機能する。
【００３５】
また、記憶部１８の一領域には、設定記憶部７１が設定される。
設定記憶部７１には、バックライト常時点灯する設定である「バックライト常時ＯＮ」、高温時に通知を行う設定である「高熱」、各種お知らせを行う設定である「お知らせ」、アラームの設定である「アラーム設定」、バイブの有無の設定である「バイブ設定」、無音の設定である「ＭＵＴＥ設定」、機内モードの設定である「機内モード」、Ｂｌｕｅｔｏｏｔｈの機能の設定である「Ｂｌｕｅｔｏｏｔｈ設定」等の各種設定が記憶される。
【００３６】
表示制御部５１は、出力部１７における表示制御を行う。
具体的には、表示制御部５１は、通常表示、ポップアップ表示、ヘルプ表示／機能設定表示等を表示するように出力部を制御する。
【００３７】
本実施形態において、表示制御部５１は、図２（ａ）に示すように、［Ｈｅｌｐ］アイコンに対してタッチ入力を行った場合には、ポップアップアイコンを表示させるポップアップ表示を行わせ、［Ｈｅｌｐ］アイコンに対してタッチ入力を解除した場合には、図３（ａ）に示すように、Ｈｅｌｐリスト表示を行わせる。
そして、表示制御部５１は、ＨｅｌｐリストのいずれかのＩＮＤＥＸに対するタッチ入力があった場合には、図３（ｂ）に示すように、ＩＮＤＥＸに対応するヘルプを表示させる。
なお、表示制御部５１は、ポップアップ表示では、図２（ｃ）に示すように、ステータスアイコンとポップアップアイコンとを対応表示させ、図２（ｄ）に示すように、ステータスアイコンからポップアップアイコンが飛び出すように表示したり、ポップアップアイコンがステータスアイコンに吸い込まれるように収納されるように表示させたりする。
【００３８】
また、表示制御部５１は、［Ｈｅｌｐ］アイコン及びポップアップアイコンに対するタッチ入力を行った状態から［Ｈｅｌｐ］アイコンの入力を解除した場合には、図４（ａ）又は（ｂ）に示すように、ポップアップアイコンに対応する機能設定画面を表示させる。
これに対して、表示制御部５１は、［Ｈｅｌｐ］アイコン及びポップアップアイコンに対するタッチ入力を行った状態からポップアップアイコンの入力を解除した場合には、図３（ｂ）に示すように、ポップアップアイコンに対応するヘルプ画面を表示させる。
【００３９】
操作検出部５２は、入力部１６に対するタッチ入力やタッチ入力解除等の各種操作を検出する。
【００４０】
機能設定部５３は、入力部１６への入力操作を介してなされた各種設定の変更等を設定記憶部７１に記憶させて設定を行う。
【００４１】
図６は、図５の機能的構成を有する図１の携帯端末１が実行するヘルプ画面表示処理の流れを説明するフローチャートである。なお、本例では、ＩＮＤＥＸのうち、［ＩＮＤＥＸ１：バックライト常時ＯＮ］のヘルプ処理についてのみ説明する。他のＩＮＤＥＸについては、ＩＮＤＥＸ１の処理と同様の処理が行われるため、フローチャートにおける説明を省略している。
【００４２】
ヘルプ画面表示処理は、ユーザによる入力部１６へのヘルプ画面表示処理開始の操作により開始される。ヘルプ画面表示処理では、表示制御部５１により、時計、各種ステータスアイコン、［Ｈｅｌｐ］アイコンを表示出力するように出力部１７が制御される。その結果、出力部１７には、図２（ａ）に示すような通常表示が行われる。
【００４３】
ステップＳ１１において、操作検出部５２は、タッチ入力があったか否かを判定する。
タッチ入力があった場合には、ステップＳ１１においてＹＥＳと判定されて、処理はステップＳ１２に進む。
タッチ入力がない場合には、ステップＳ１１においてＮＯと判定されて、処理は待機状態となる。
【００４４】
ステップＳ１２において、操作検出部５２は、［Ｈｅｌｐ］アイコンに対してのタッチ入力であったか否かを判定する。
［Ｈｅｌｐ］アイコンに対してのタッチ入力であった場合には、ステップＳ１２においてＹＥＳと判定されて、処理はステップＳ１４に進む。
［Ｈｅｌｐ］アイコンに対してのタッチ入力でなかった場合には、ステップＳ１２においてＮＯと判定されて、処理はステップＳ１３に進む。
【００４５】
ステップＳ１３において、ＣＰＵ１１は、各種操作に基づいて、その他処理へ移行する。
【００４６】
ステップＳ１４において、表示制御部５１は、ポップアップ表示を行うように出力部１７を制御する。ポップアップ表示では、機能を設定可能なＩＮＤＥＸの数（ＩＮＤＥＸ１〜ＩＮＤＥＸ８）に従って画面を分割し、ＩＮＤＥＸの順（ＩＮＤＥＸ１：バックライト常時ＯＮ、ＩＮＤＥＸ２：高熱、ＩＮＤＥＸ３：お知らせ、ＩＮＤＥＸ４：アラーム設定、ＩＮＤＥＸ５：バイブ設定、ＩＮＤＥＸ６：ＭＵＴＥ設定、ＩＮＤＥＸ７：機内モード、ＩＮＤＥＸ８：Ｂｌｕｅｔｏｏｔｈ設定）に従って機能内容に対応したポップアップアイコンを表示する。その結果、出力部１７では、図２（ｂ）に示すように、機能内容に対応したポップアップアイコンが表示される画面表示が行われる。また、表示に際して、出力部１７では、図２（ｄ）に示すようなステータスアイコンからポップアップアイコンが飛び出してくるような表示が行われる。
【００４７】
ステップＳ１５において、表示制御部５１は、ステータスアイコンと、対応するポップアップアイコンとを対応表示するように出力部１７を制御する。その結果、出力部１７では、図２（ｃ）に示すように、機能内容として、各種ステータスアイコンに対応したポップアップアイコンが線で結ばれて対応表示される画面表示が行われる。
【００４８】
ステップＳ１６において、操作検出部５２は、さらに異なるタッチ入力があったか否かを判定する。
さらに異なるタッチ入力があった場合には、ステップＳ１６においてＹＥＳと判定されて、処理はステップＳ１７に進む。
さらに異なるタッチ入力ない場合には、ステップＳ１６においてＮＯと判定されて、処理はステップＳ２１に進む。
【００４９】
ステップＳ１７において、操作検出部５２は、さらなるタッチ入力がポップアップアイコン［ＩＮＤＥＸ１：バックライト常時ＯＮ］に対してであったか否かを判定する。
ポップアップアイコン［ＩＮＤＥＸ１：バックライト常時ＯＮ］に対してであった場合には、ステップＳ１７においてＹＥＳと判定されて、処理はステップＳ１９に進む。
ポップアップアイコン［ＩＮＤＥＸ１：バックライト常時ＯＮ］に対してではなかった場合には、ステップＳ１７においてＮＯと判定されて、処理はステップＳ１８に進む。
【００５０】
ステップＳ１８において、ＣＰＵ１１は、その他ＩＮＤＥＸ２〜８の判定処理へ移行する。その他ＩＮＤＥＸ２〜８の判定処理は、ＩＮＤＥＸ１と同様であるため省略する。
【００５１】
ステップＳ１９において、操作検出部５２は、タッチ入力がＯＦＦ（タッチ解除）されたか否かを判定する。
タッチ入力ＯＦＦされた場合には、ステップＳ１９においてＹＥＳと判定されて、処理はステップＳ２０に進む。
タッチ入力ＯＦＦされなかった場合には、ステップＳ１９においてＮＯと判定されて、処理は待機状態となる。
【００５２】
ステップＳ２０において、操作検出部５２は、タッチ入力のＯＦＦ（タッチ解除）が［Ｈｅｌｐ］アイコンへのタッチ入力に対してのものであったか否かを判定する。
タッチ入力のＯＦＦは［Ｈｅｌｐ］アイコンに対してのタッチ入力であった場合には、ステップＳ２０においてＹＥＳと判定されて、処理はステップＳ３１に進む。
タッチ入力のＯＦＦは［Ｈｅｌｐ］アイコンに対してのタッチ入力でない場合には、ステップＳ２０においてＮＯと判定されて、処理はステップＳ４１に進む。
【００５３】
ステップＳ２１において、操作検出部５２は、タッチ入力がＯＦＦ（タッチ解除）されたか否かを判定する。
タッチ入力ＯＦＦされた場合には、ステップＳ２１においてＹＥＳと判定されて、処理はステップＳ２２に進む。
タッチ入力ＯＦＦされなかった場合には、ステップＳ２１においてＮＯと判定されて、処理はステップＳ１６に戻る。
【００５４】
ステップＳ２２において、表示制御部５１は、［Ｈｅｌｐ］アイコン画面からＨｅｌｐリスト表示に変更するように出力部１７を制御する。その結果、出力部１７では、図３（ａ）に示すように、選択することで各ポップアップアイコンに対応したヘルプに移行するリンクがリスト表示されたＨｅｌｐリスト表示がされる。
【００５５】
ステップＳ２３において、操作検出部５２は、タッチ入力があったか否かを判定する。
タッチ入力があった場合には、ステップＳ２３においてＹＥＳと判定されて、処理はステップＳ２４に進む。
タッチ入力がない場合には、ステップＳ２３においてＮＯと判定されて、処理は待機状態となる。
【００５６】
ステップＳ２４において、操作検出部５２は、［×］アイコンに対してのタッチ入力であったか否かを判定する。
［×］アイコンに対してのタッチ入力であった場合には、ステップＳ２４においてＹＥＳと判定されて、処理はステップＳ６１に進む。
［×］アイコンに対してのタッチ入力でなかった場合には、ステップＳ２４においてＮＯと判定されて、処理はステップＳ４６に進む。
【００５７】
図７は、図５の機能的構成を有する図１の携帯端末１が実行するヘルプ画面表示処理の流れを説明するフローチャートである。
【００５８】
ステップＳ３１において、表示制御部５１は、バックライト常時ＯＮの設定画面を表示するように出力部１７を制御する。出力部１７では、図４（ａ）又は（ｂ）が現在の設定状況に応じて表示される。図４（ａ）の場合には、現在バックライト常時ＯＮの設定はなされていない状態であり、図４（ｂ）の場合には、現在バックライト常時ＯＮの設定はされている状態である。
【００５９】
ステップＳ３２において、操作検出部５２は、タッチ入力があったか否かを判定する。
タッチ入力があった場合には、ステップＳ３２においてＹＥＳと判定されて、処理はステップＳ３３に進む。
タッチ入力がない場合には、ステップＳ３２においてＮＯと判定されて、処理は待機状態となる。
【００６０】
ステップＳ３３において、操作検出部５２は、［ＯＫ］アイコンに対してのタッチ入力であったか否かを判定する。
［ＯＫ］アイコンに対してのタッチ入力であった場合には、ステップＳ３３においてＹＥＳと判定されて、処理はステップＳ４６に進む。
［ＯＫ］アイコンに対してのタッチ入力でなかった場合には、ステップＳ３３においてＮＯと判定されて、処理はステップＳ３２に戻る。
【００６１】
ステップＳ３４において、設定処理部５４は、バックライト常時ＯＮ／ＯＦＦ設定して当該設定を設定記憶部７１に記憶させる。設定処理部５４は、バックライト常時ＯＮの設定がなされていない場合に、［ＯＫ］アイコン以外に対してのタッチ入力があったときには、バックライト常時ＯＮの設定を行い、バックライト常時ＯＮの設定がなされている場合に、［ＯＫ］アイコン以外に対してのタッチ入力があったときには、バックライト常時ＯＮの設定を解除する設定を行う。
【００６２】
図８は、図５の機能的構成を有する図１の携帯端末１が実行するヘルプ画面表示処理の流れを説明するフローチャートである。
【００６３】
ステップＳ４１において、操作検出部５２は、タッチ入力のＯＦＦ（タッチ解除）が［ＩＮＤＥＸ１：バックライト常時ＯＮ］アイコンへのタッチ入力に対してのものであったか否かを判定する。
タッチ入力のＯＦＦは［ＩＮＤＥＸ１：バックライト常時ＯＮ］アイコンに対してのタッチ入力であった場合には、ステップＳ４１においてＹＥＳと判定されて、処理はステップＳ４３に進む。
タッチ入力のＯＦＦは［ＩＮＤＥＸ１：バックライト常時ＯＮ］アイコンに対してのタッチ入力でない場合には、ステップＳ２０においてＮＯと判定されて、処理はステップＳ４２に進む。
【００６４】
ステップＳ４２において、ＣＰＵ１１は、その他ＩＮＤＥＸ２〜８の判定処理へ移行する。その他ＩＮＤＥＸ２〜８の判定処理は、ＩＮＤＥＸ１と同様であるため省略する。
【００６５】
ステップＳ４３において、表示制御部５１は、バックライト常時ＯＮのヘルプ画面を表示するように出力部１７を制御する。出力部１７では、図３（ｂ）に示すようにバックライト常時ＯＮの機能内容の説明が記載されたヘルプ画面が表示される。
【００６６】
ステップＳ４４において、操作検出部５２は、タッチ入力があったか否かを判定する。
タッチ入力があった場合には、ステップＳ４４においてＹＥＳと判定されて、処理はステップＳ４５に進む。
タッチ入力がない場合には、ステップＳ４４においてＮＯと判定されて、処理は待機状態となる。
【００６７】
ステップＳ４５において、操作検出部５２は、［×］アイコンに対してのタッチ入力であったか否かを判定する。
［×］アイコンに対してのタッチ入力であった場合には、ステップＳ４５においてＹＥＳと判定されて、処理はステップＳ４６に進む。
［×］アイコンに対してのタッチ入力でなかった場合には、ステップＳ４５においてＮＯと判定されて、処理はステップＳ４４に戻る。
【００６８】
ステップＳ４６において、表示制御部５１は、ポップアップ表示を行うように出力部１７を制御する。ポップアップ表示では、機能を設定可能なＩＮＤＥＸの数（ＩＮＤＥＸ１〜ＩＮＤＥＸ８）に従って画面を分割し、ＩＮＤＥＸの順（ＩＮＤＥＸ１：バックライト常時ＯＮ、ＩＮＤＥＸ２：高熱、ＩＮＤＥＸ３：お知らせ、ＩＮＤＥＸ４：アラーム設定、ＩＮＤＥＸ５：バイブ設定、ＩＮＤＥＸ６：ＭＵＴＥ設定、ＩＮＤＥＸ７：機内モード、ＩＮＤＥＸ８：Ｂｌｕｅｔｏｏｔｈ設定）に従って機能内容に対応したポップアップアイコンを表示する。その結果、出力部１７では、図２（ｂ）に示すように、機能内容に対応したポップアップアイコンが表示される画面表示が行われる。また、表示に際して、出力部１７では、図２（ｄ）に示すようなステータスアイコンからポップアップアイコンが飛び出してくるような表示が行われる。
【００６９】
ステップＳ４７において、表示制御部５１は、ステータスアイコンと、対応するポップアップアイコンとを対応表示するように出力部１７を制御する。その結果、出力部１７では、図２（ｃ）に示すように、機能内容として、各種ステータスアイコンに対応したポップアップアイコンが線で結ばれて対応表示される画面表示が行われる。
【００７０】
ステップＳ４８において、表示制御部５１は、ポップアップアイコン収納表示を行うように出力部１７を制御する。その結果、出力部１７では、図２（ｄ）に示すように、ポップアップアイコンを収納する際の表示をし、ポップアップアイコンと、ステータスアイコンとを結んだ線に沿うように、ステータスアイコンに向かってポップアップアイコンを縮小させながら移動させて、最終的にステータスアイコン内に消えてゆくような表示が行われる。
【００７１】
図９は、図５の機能的構成を有する図１の携帯端末１が実行するヘルプ画面表示処理の流れを説明するフローチャートである。
【００７２】
ステップＳ６１において、操作検出部５２は、［ＩＮＤＥＸ１：バックライト常時ＯＮ］アイコンに対してのタッチ入力であったか否かを判定する。
［ＩＮＤＥＸ１：バックライト常時ＯＮ］アイコンに対してのタッチ入力であった場合には、ステップＳ４５においてＹＥＳと判定されて、処理はステップＳ４３に戻る。
［ＩＮＤＥＸ１：バックライト常時ＯＮ］アイコンに対してのタッチ入力でなかった場合には、ステップＳ４５においてＮＯと判定されて、処理はステップＳ６２に進む。
【００７３】
ステップＳ６２において、ＣＰＵ１１は、その他ＩＮＤＥＸ２〜８の判定処理へ移行する。その他ＩＮＤＥＸ２〜８の判定処理は、ＩＮＤＥＸ１と同様であるため省略する。
【００７４】
したがって、携帯端末１では、小型の端末においてヘルプキーを押した際にその画面に表示されているアイコンの機能を表示するような単に説明を述べたりするために非常に判りづらい従来のものに比べて、ヘルプ画面を開く際に直感的に判り易く操作できるように構成されている。
【００７５】
以上のように構成される携帯端末１は、出力部１７と、入力部１６と、操作検出部５２と、表示制御部５１と、を備える。
操作検出部５２は、入力部１６への入力操作を検出する。
また、操作検出部５２は、出力部１７に表示され、操作検出部５２による入力部１６への機能の設定状態を示す第１のアイコンであるステータスアイコンに対応した当該第１のアイコンであるステータスアイコンの機能説明を表示させるための入力操作を操作検出部５２によって検出したか否かを判定する。
表示制御部５１は、操作検出部５２によって検出したと判定された場合に、第１のアイコンであるステータスアイコンに対応する機能説明を、当該第１のアイコンであるステータスアイコンに対応付けた表示態様で表示させるように出力部１７を制御する。
これにより、携帯端末１においては、機能説明であるポップアップアイコンを、第１のアイコンであるステータスアイコンに対応付けて表示させているため、画面に関する説明をより分かり易く表示することができる。
【００７６】
表示制御部５１は、第１のアイコンであるステータスアイコン及び機能説明であるポップアップアイコンの表示状態において、第１のアイコンであるステータスアイコンと機能説明であるポップアップアイコンとを線で結んで対応付けて表示させるように出力部１７を制御する。
これにより、携帯端末１においては、第１のアイコンであるステータスアイコンと機能説明であるポップアップアイコンとが線で結ばれているために対応関係が直感的に把握しやすくなり、画面に関する説明をより分かり易く表示することができる。
また第１のアイコンと機能説明とを線で結んで表示させる方法に限らず、同じ色で表示するなど第１のアイコンと機能説明とが対応していることを示す態様であればどのような表示であってもよい。
【００７７】
表示制御部５１は、機能説明であるポップアップアイコンを表示する際に、第１のアイコンであるステータスアイコンから当該機能説明であるポップアップアイコンを移動させて表示させるように出力部１７を制御する。
これにより、携帯端末１においては、第１のアイコンであるステータスアイコンから当該機能説明であるポップアップアイコンを移動させて表示するために、対応関係が直感的に把握しやすくなり、画面に関する説明をより分かり易く表示することができる。
【００７８】
表示制御部５１は、第１のアイコンであるステータスアイコンと当該第１のアイコンであるステータスアイコンに対応する機能説明とをそれぞれ線で結んで表示させる。
これにより、携帯端末１においては、対応関係が直感的に把握しやすくなる。
【００７９】
表示制御部５１は、第１のアイコンであるステータスアイコンと当該第１のアイコンであるステータスアイコンに対応する前記機能説明とをそれぞれ同じ色で表示させる。
これにより、携帯端末１においては、対応関係が直感的に把握しやすくなる。
【００８０】
表示制御部５１は、複数の機能のそれぞれに対応した第１のアイコンであるステータスアイコンを所定位置に配置して表示させた場合において、各々対応する第１のアイコンであるステータスアイコンの位置に近い位置に機能説明であるポップアップアイコンを、整列させて表示させるように出力部１７を制御する。
これにより、携帯端末１においては、第１のアイコンであるステータスアイコンと、機能説明であるポップアップアイコンとの対応関係が直感的に把握しやすくなり、画面に関する説明をより分かり易く表示することができる。
【００８１】
表示制御部５１は、操作検出部５２によって入力部１６に対して、第２のアイコンである［Ｈｅｌｐ］アイコン及び機能説明であるポップアップアイコンへの入力操作が検出された状態で、機能説明であるポップアップアイコンへの入力操作を解除した場合には、入力操作された機能説明に対応する機能の設定を変更する画面を表示させるように出力部１７を制御する。
これにより、携帯端末１においては、より直感的な操作で設定画面へ移行することができる。
【００８２】
操作検出部５２は、第１のアイコンであるステータスアイコンの機能説明を表示させるための入力操作として、第２のアイコンである［Ｈｅｌｐ］アイコンへの入力操作を検出したか否かを判定する。
表示制御部５１は、操作検出部５２によって入力部１６に対して、第２のアイコンである［Ｈｅｌｐ］アイコン及び機能説明であるポップアップアイコンへの入力操作が検出された状態で、第２のアイコンである［Ｈｅｌｐ］アイコンへの入力操作を解除した場合には、第１のアイコンであるステータスアイコンに対応する当該第１のアイコンであるステータスアイコンに対応付けた表示態様で表示させるように出力部１７を制御する。
これにより、携帯端末１においては、より直感的な操作でヘルプ画面へ移行することができる。
【００８３】
また、携帯端末１は、入力部１６としてタッチパネルを備えて構成される。
これにより、携帯端末１においては、表示領域が狭い状態においても画面に関する説明をより分かり易く表示することができ、直感的な操作を行うことができる。
【００８４】
なお、本発明は、上述の実施形態に限定されるものではなく、本発明の目的を達成できる範囲での変形、改良等は本発明に含まれるものである。
【００８５】
上述の実施形態では、ステータスアイコンと対応するポップアップアイコンとを線で結んで対応表示するように構成したが、ステータスアイコンとポップアップアイコンとの対応関係が分かるように表示できればよく、例えば、ポップアップアイコンを、ステータスアイコンを表す図柄と同じ図柄にして構成するようにしてもよい。
【００８６】
また、上述の実施形態では、［Ｈｅｌｐ］アイコンを押しながら設定アイコンを選んでヘルプ画面を表示するのにシングルタップの形で説明したがアイコンを選ぶ際に短い時間に２回タップするダブルタップをすることにより、表示するヘルプ画面をアイコンの内容に対応したチュートリアルのビデオ画面を表示する等機能を付加するように構成してもよい。
【００８７】
また、上述の実施形態では、［Ｈｅｌｐ］アイコンを押してから設定アイコンをクリックするのではなく、［Ｈｅｌｐ］アイコンを設定アイコンにドラッグ＆ドロップして、対応する設定アイコンのヘルプの画面表示をさせるように構成してもよい。
【００８８】
また、上述の実施形態では、ヘルプキーを押して、さらに機能を変える場合タップの仕方（シングルｏｒダブルタップ）や押す時間（長押しｏｒ短押し）によって切り替えるように構成することができる。
【００８９】
また、上述の実施形態では、他に高感度のタッチパネルを使用し、機能内容を表示した設定アイコンに指を近づけるだけで対応する設定アイコンのヘルプの画面を表示するように構成してもよい。
【００９０】
また、上述の実施形態では、操作情報を、ネットワークを通じてメーカーにフィードバックするように構成してもよい。
【００９１】
また、上述の実施形態では、出力部１７をＴＮ（Ｔｗｉｓｔｅｄ  Ｎｅｍａｔｉｃ）液晶と、ＴＦＴ（Ｔｈｉｎ  Ｆｉｌｍ  Ｔｒａｎｓｉｓｔｏｒ）液晶とを上下に配したハイブリッド液晶で構成することができ、下のＴＦＴ液晶の画面は動かさず、ヘルプ画面を上のＴＮ液晶の画面のみで動かすようにすれば、ＴＦＴ液晶の画面を静止させられるので省電力となる。
【００９２】
また、上述の実施形態では、本発明が適用される携帯端末１は、デジタルカメラを例として説明したが、特にこれに限定されない。
例えば、本発明は、ヘルプ画面表示処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００９３】
上述した一連の処理は、ハードウェアにより実行させることもできるし、ソフトウェアにより実行させることもできる。
換言すると、図５の機能的構成は例示に過ぎず、特に限定されない。即ち、上述した一連の処理を全体として実行できる機能が携帯端末１に備えられていれば足り、この機能を実現するためにどのような機能ブロックを用いるのかは特に図５の例に限定されない。
また、１つの機能ブロックは、ハードウェア単体で構成してもよいし、ソフトウェア単体で構成してもよいし、それらの組み合わせで構成してもよい。
【００９４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９５】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１８に含まれるハードディスク等で構成される。
【００９６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００９７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００９８】
以下に、本願の出願当初の特許請求の範囲に記載された発明を付記する。
［付記１］
表示手段と、
入力手段と、
前記入力手段への入力操作を検出する操作検出手段と、  前記表示手段に表示され、機能の設定状態を示す第１のアイコンに対応した第１のアイコンの機能説明を表示させるための入力操作を前記操作検出手段によって検出したか否かを判定する判定手段と、
前記判定手段によって検出したと判定された場合に、前記第１のアイコンに対応する機能説明を、当該第１のアイコンに対応付けた表示態様で表示させるように前記表示手段を制御する表示制御手段と、
を備えることを特徴とする表示装置。
［付記２］
前記表示制御手段は、前記第１のアイコン及び前記機能説明の表示状態において、前記第１のアイコンと前記機能説明とを対応付けて表示させるように前記表示手段を制御する、
ことを特徴とする付記１に記載の表示装置。
［付記３］
前記表示制御手段は、前記第１のアイコンと前記第１のアイコンに対応する前記機能説明とをそれぞれ線で結んで表示させることを特徴とする付記２に記載の表示装置。
［付記４］
前記表示制御手段は、前記第１のアイコンと前記第１のアイコンに対応する前記機能説明とをそれぞれ同じ色で表示させることを特徴とする付記２に記載の表示装置。
［付記５］
前記表示制御手段は、前記機能説明を表示する際に、前記第１のアイコンから当該機能説明を拡大移動させて表示させるように前記表示手段を制御する、
ことを特徴とする付記１乃至４の何れか１つに記載の表示装置。
［付記６］
前記表示制御手段は、複数の機能のそれぞれに対応した前記第１のアイコンを所定位置に配置して表示させた場合において、各々対応する第１のアイコンの位置に近い位置に前記機能説明を、整列させて表示させるように前記表示手段を制御する、
ことを特徴とする付記１乃至５の何れか１つに記載の表示装置。
［付記７］
前記表示制御手段は、前記操作検出手段によって前記入力手段に対して、前記機能説明への入力操作が検出された状態で、前記機能説明への入力操作を解除した場合には、前記入力操作された機能説明に対応する機能の設定を変更する画面を表示させるように前記表示手段を制御する、
ことを特徴とする付記１乃至６の何れか１つに記載の表示装置。
［付記８］
前記判定手段は、前記第１のアイコンの機能説明を表示させるための入力操作として、第２のアイコンへの入力操作を前記操作検出手段によって検出したか否かを判定し、
前記表示制御手段は、前記操作検出手段によって前記入力手段に対して、前記第２のアイコンへの入力操作が検出された状態で、前記第２のアイコンへの入力操作を解除した場合には、前記第１のアイコンに対応する機能説明を、当該第１のアイコンに対応付けた表示態様で表示させるように前記表示手段を制御する、
ことを特徴とする付記１乃至６の何れか１つに記載の表示装置。
［付記９］
前記入力手段としてタッチパネルを備えたことを特徴とする付記１乃至８の何れか１つに記載の表示装置。
［付記１０］
表示手段と、入力手段とを備える表示装置で実行される表示制御方法であって、
前記入力手段への入力操作を検出する操作検出ステップと、
前記表示手段に表示され、機能の設定状態を示す第１のアイコンに対応した第１のアイコンの機能説明を表示させるための入力操作を前記操作検出ステップによって検出したか否かを判定する判定ステップと、  前記判定ステップによって検出したと判定された場合に、前記第１のアイコンに対応する機能説明を、当該第１のアイコンに対応付けた表示態様で表示させるように前記表示手段を制御する表示制御ステップと、
を含むことを特徴とする表示制御方法。
［付記１１］
表示手段と、入力手段とを備える表示装置を制御するコンピュータを、
前記入力手段への入力操作を検出する操作検出手段、
前記表示手段に表示され、機能の設定状態を示す第１のアイコンに対応した第１のアイコンの機能説明を表示させるための入力操作を前記操作検出手段によって検出したか否かを判定する判定手段、
前記判定手段によって検出したと判定された場合に、前記第１のアイコンに対応する機能説明を、当該第１のアイコンに対応付けた表示態様で表示させるように前記表示手段を制御する表示制御手段、
として機能させることを特徴とするプログラム。
【符号の説明】
【００９９】
１・・・携帯端末，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・表示制御部，５２・・・操作検出部，５３・・・機能設定部，７１・・・設定記憶部
【図１】
2019061720.tif 000003
【図２】
2019061720.tif 000004
【図３】
2019061720.tif 000005
【図４】
2019061720.tif 000006
【図５】
2019061720.tif 000007
【図６】
2019061720.tif 000008
【図７】
2019061720.tif 000009
【図８】
2019061720.tif 000010
【図９】
2019061720.tif 000011
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
表示手段と、
入力手段と、
前記入力手段への入力操作を検出する操作検出手段と、
機能の設定状態を示す第１のアイコンが前記表示手段に表示された状態で、当該第１のアイコンに対応する機能説明を表示させるための入力操作を前記操作検出手段によって検出したか否かを判定する判定手段と、
前記判定手段によって検出したと判定された場合に、前記第１のアイコンに対応する機能説明を表示させるように前記表示手段を制御する表示制御手段と、
を備え、
前記表示制御手段は、複数の機能のそれぞれに対応した前記第１のアイコンを所定位置に配置して表示させた場合において、各々対応する第１のアイコンの位置に近い位置に前記機能説明を、整列させて表示させるように前記表示手段を制御する、
ことを特徴とする表示装置。
【請求項２】
表示手段と、
入力手段と、
前記入力手段への入力操作を検出する操作検出手段と、
機能の設定状態を示す第１のアイコンが前記表示手段に表示された状態で、当該第１のアイコンに対応する機能説明を表示させるための入力操作を前記操作検出手段によって検出したか否かを判定する判定手段と、
前記判定手段によって検出したと判定された場合に、前記第１のアイコンに対応する機能説明を表示させるように前記表示手段を制御する表示制御手段と、
を備え、
前記表示制御手段は、前記操作検出手段によって前記入力手段に対して、前記機能説明への入力操作が検出された状態で、前記機能説明への入力操作を解除した場合には、前記入力操作された機能説明に対応する機能の設定を変更する画面を表示させるように前記表示手段を制御する、
ことを特徴とする表示装置。
【請求項３】
表示手段と、
入力手段と、
前記入力手段への入力操作を検出する操作検出手段と、
機能の設定状態を示す第１のアイコンが前記表示手段に表示された状態で、当該第１のアイコンに対応する機能説明を表示させるための入力操作を前記操作検出手段によって検出したか否かを判定する判定手段と、
前記判定手段によって検出したと判定された場合に、前記第１のアイコンに対応する機能説明を表示させるように前記表示手段を制御する表示制御手段と、
を備え、
前記判定手段は、前記第１のアイコンが前記表示手段に表示された状態で、当該第１のアイコンに対応する機能説明を表示させるためであって、当該第１のアイコンへの入力操作とは異なる入力操作を前記操作検出手段によって検出したか否かを判定する、
ことを特徴とする表示装置。
【請求項４】
前記第１のアイコンへの入力操作とは異なる入力操作は、前記第１のアイコンへのタッチ操作又はキー操作とは異なる入力操作であることを特徴とする請求項３に記載の表示装置。
【請求項５】
表示手段と、
入力手段と、
前記入力手段への入力操作を検出する操作検出手段と、
機能の設定状態を示す第１のアイコンが前記表示手段に表示された状態で、当該第１のアイコンに対応する機能説明を表示させるための入力操作を前記操作検出手段によって検出したか否かを判定する判定手段と、
前記判定手段によって検出したと判定された場合に、前記第１のアイコンに対応する機能説明を表示させるように前記表示手段を制御する表示制御手段と、
を備え、
前記判定手段は、前記第１のアイコンの機能説明を表示させるための入力操作として、第２のアイコンへの入力操作を前記操作検出手段によって検出したか否かを判定し、
前記表示制御手段は、前記操作検出手段によって前記入力手段に対して、前記第２のアイコンへの入力操作が検出された状態で、前記第２のアイコンへの入力操作を解除した場合には、前記第１のアイコンに対応する機能説明を、当該第１のアイコンに対応付けた表示態様で表示させるように前記表示手段を制御する、
ことを特徴とする表示装置。
【請求項６】
表示手段と、入力手段とを備える表示装置で実行される表示制御方法であって、
前記入力手段への入力操作を検出する操作検出ステップと、
機能の設定状態を示す第１のアイコンが前記表示手段に表示された状態で、機能説明を表示させるための入力操作を前記操作検出ステップによって検出したか否かを判定する判定ステップと、
前記判定ステップによって検出したと判定された場合に、前記第１のアイコンに対応する機能説明を表示させるように前記表示手段を制御する表示制御ステップと、
を含み、
前記表示制御ステップは、複数の機能のそれぞれに対応した前記第１のアイコンを所定位置に配置して表示させた場合において、各々対応する第１のアイコンの位置に近い位置に前記機能説明を、整列させて表示させるように前記表示手段を制御する、
ことを特徴とする表示制御方法。
【請求項７】
表示手段と、入力手段とを備える表示装置で実行される表示制御方法であって、
前記入力手段への入力操作を検出する操作検出ステップと、
機能の設定状態を示す第１のアイコンが前記表示手段に表示された状態で、機能説明を表示させるための入力操作を前記操作検出ステップによって検出したか否かを判定する判定ステップと、
前記判定ステップによって検出したと判定された場合に、前記第１のアイコンに対応する機能説明を表示させるように前記表示手段を制御する表示制御ステップと、
を含み、
前記表示制御ステップは、前記操作検出ステップによって前記入力手段に対して、前記機能説明への入力操作が検出された状態で、前記機能説明への入力操作を解除した場合には、前記入力操作された機能説明に対応する機能の設定を変更する画面を表示させるように前記表示手段を制御する、
ことを特徴とする表示制御方法。
【請求項８】
表示手段と、入力手段とを備える表示装置で実行される表示制御方法であって、
前記入力手段への入力操作を検出する操作検出ステップと、
機能の設定状態を示す第１のアイコンが前記表示手段に表示された状態で、機能説明を表示させるための入力操作を前記操作検出ステップによって検出したか否かを判定する判定ステップと、
前記判定ステップによって検出したと判定された場合に、前記第１のアイコンに対応する機能説明を表示させるように前記表示手段を制御する表示制御ステップと、
を含み、
前記判定ステップは、前記第１のアイコンが前記表示手段に表示された状態で、当該第１のアイコンに対応する機能説明を表示させるためであって、当該第１のアイコンへの入力操作とは異なる入力操作を前記操作検出ステップによって検出したか否かを判定する、
ことを特徴とする表示制御方法。
【請求項９】
表示手段と、入力手段とを備える表示装置で実行される表示制御方法であって、
前記入力手段への入力操作を検出する操作検出ステップと、
機能の設定状態を示す第１のアイコンが前記表示手段に表示された状態で、機能説明を表示させるための入力操作を前記操作検出ステップによって検出したか否かを判定する判定ステップと、
前記判定ステップによって検出したと判定された場合に、前記第１のアイコンに対応する機能説明を表示させるように前記表示手段を制御する表示制御ステップと、
を含み、
前記判定ステップは、前記第１のアイコンの機能説明を表示させるための入力操作として、第２のアイコンへの入力操作を前記操作検出ステップによって検出したか否かを判定し、
前記表示制御ステップは、前記操作検出ステップによって前記入力手段に対して、前記第２のアイコンへの入力操作が検出された状態で、前記第２のアイコンへの入力操作を解除した場合には、前記第１のアイコンに対応する機能説明を、当該第１のアイコンに対応付けた表示態様で表示させるように前記表示手段を制御する、
ことを特徴とする表示制御方法。
【手続補正３】
【補正対象書類名】明細書
【補正対象項目名】０００１
【補正方法】変更
【補正の内容】
【０００１】
本発明は、情報を表示する表示装置および表示制御方法に関する。
【手続補正４】
【補正対象書類名】明細書
【補正対象項目名】０００６
【補正方法】変更
【補正の内容】
【０００６】
上記目的を達成するため、本発明の一態様の表示装置は、
表示手段と、
入力手段と、
前記入力手段への入力操作を検出する操作検出手段と、
機能の設定状態を示す第１のアイコンが前記表示手段に表示された状態で、当該第１のアイコンに対応する機能説明を表示させるための入力操作を前記操作検出手段によって検出したか否かを判定する判定手段と、
前記判定手段によって検出したと判定された場合に、前記第１のアイコンに対応する機能説明を表示させるように前記表示手段を制御する表示制御手段と、
を備え、
前記表示制御手段は、複数の機能のそれぞれに対応した前記第１のアイコンを所定位置に配置して表示させた場合において、各々対応する第１のアイコンの位置に近い位置に前記機能説明を、整列させて表示させるように前記表示手段を制御する、
ことを特徴とする。